(57)【要約】      （修正有）【課題】車両のダッシュボード上に取り付けられるポータブル型カーナビに遮光機能と遮熱機能を備えるカーナビカバー体を提供する。【解決手段】車両のダッシュボード２４上に取り付けられるポータブル型カーナビに装着されるカーナビカバー体１０であって、カーナビ本体２０の上方部２０ａと背面部２０ｂを覆う略Ｌ字型の遮光フード１１を形成すると共に、遮光フード１１の上方部１２と背面部１３が交差する箇所から背面部下端まで固定スタンド２１の上縁クリップ２２とその支持片が嵌め込まれる嵌合溝１４が形成されて成り、遮光フード１１の上方部１２が遮光機能として作用すると共に、背面部１３が遮熱機能として作用する。【選択図】図１
0003200819.tif 000002
【実用新案登録請求の範囲】
【請求項１】
車両のダッシュボード上に取り付けられるポータブル型カーナビに装着されるカーナビカバー体であって、
カーナビ本体の上方部と背面部を覆う略Ｌ字型の遮光フードを形成すると共に、該遮光フードの上方部と背面部が交差する箇所から背面部下端まで固定スタンドの上縁クリップとその支持片が嵌め込まれる嵌合溝が形成されて成り、
該遮光フードの上方部が遮光機能として作用すると共に、背面部が遮熱機能として作用することを特徴とするカーナビカバー体。
【請求項２】
前記遮光フードの背面部に所定の間隔を空けて列設される複数のスリットが形成され、
該スリットが放熱機能として作用することを特徴とする請求項１に記載のカーナビカバー体。
【請求項３】
前記遮光フードの両側の全部もしくは一部を被覆する側面部が上方部及び背面部と隣接して設けられ、
該遮光フードの側面部が遮光機能として作用することを特徴とする請求項１または請求項２に記載のカーナビカバー体。
【考案の詳細な説明】
【技術分野】
【０００１】
本考案は、車両のダッシュボード上に取り付けられるポータブル型カーナビに装着されるカーナビカバー体に関するものである。
【背景技術】
【０００２】
従来における車両のダッシュボード上に取り付けられるポータブル型カーナビは、遮光フードによる遮光機能と、断熱性のカバー体による遮熱機能を其々別に備えて提供されていた。
【０００３】
その従来における遮光フードによる遮光機能は、外部からの表示画面の明暗を調整する機能に留まるものであり、放熱機能を備えるポータブル型カーナビは提供されてこなかった。
【０００４】
また、従来におけるカバー体による遮熱機能は、カーナビ全体を布製または合成繊維製の断熱性のカバー体で覆うことによって達成されるものであるが、カーナビ本体を作動させる毎にカーナビ本体からカバー体を着脱しなければならないといった面倒臭さがあるものであった。
【０００５】
従来における車両に取り付けられるカーナビカバーの提案としては、例えば、カーナビ用モニター画面における反射光防止の遮光シェードを、カーナビゲーションシステムインダッシュタイプとイトゥルメントパネルの境界部周囲の隙間の上部溝と、その溝に沿ってある両端部溝に挿入装着することにより、外部からの入射光を遮蔽させることによって、反射光を抑えることができ、モニター画面に映像表示されるナビゲート情報の確認を容易にさせた「カーナビ用モニター画面における反射光防止の遮光シェード」（特許文献１参照）や、紙または合成樹脂等の薄板による組立て式の自動車用ナビゲーション等の表示部分の日除け装置に於いて、日除け本体部分にはひさし前面に破風板部を設け、該日除け本体部をカーナビ本体とカーナビ収容ケースの間に挿入した「カーナビ用サンバイザー」（特許文献２参照）等が提案されている。
【０００６】
しかしながら、かかる「カーナビ用モニター画面における反射光防止の遮光シェード」ならびに「カーナビ用サンバイザー」の提案は、カーナビ本体がインダッシュ構造であることから、単に遮光フードによる遮光機能を備えるに留まるものであり、一方、遮熱機能や放熱機能を必要とする車両のダッシュボード上に取り付けられるポータブル型のカーナビは、電話通信機能やカメラ撮影機能を備えたスマートフォンやタブレットを固定スタンドに取り付けて使用されるものであるが、その場合、遮光フードによる遮光機能は元より、カーナビ本体の背面が直射日光を受ける構造であることから、遮熱機能や放熱機能を新たに備える必要性が指摘されるところであった。
【０００７】
しかしながら、従来のポータブル型のカーナビの多くは、遮光フードによる遮光機能は備えるものの、運転中ならびに停車中において直射日光を遮断する遮熱機能や放熱機能を備えるものではなかった。
【０００８】
本出願人は、上記におけるスマートフォンやタブレットを利用したポータブル型のカーナビが、車両のダッシュボード上に取り付けられることによって遮光機能と遮熱機能が著しく低下することに着目し、該遮光機能と遮熱機能を簡単且つ安価な手段で実現できないものかとの着想下、車両のダッシュボード上に取り付けられるポータブル型のカーナビに遮光機能と遮熱機能を備えるカーナビカバー体を開発し、本考案における「カーナビカバー体」の提案に至るものである。
【先行技術文献】
【特許文献】
【０００９】
【特許文献１】特開２０１１−１２６４６５号公報
【特許文献２】特開２０１２−１７１６１３号公報
【考案の概要】
【考案が解決しようとする課題】
【００１０】
本考案は、上記問題点に鑑み、車両のダッシュボード上に取り付けられるポータブル型カーナビに遮光機能と遮熱機能を備えるカーナビカバー体を提供することを課題とする。
【課題を解決するための手段】
【００１１】
上記課題を解決するため、本考案は、車両のダッシュボード上に取り付けられるポータブル型カーナビに装着されるカーナビカバー体であって、カーナビ本体の上方部と背面部を覆う略Ｌ字型の遮光フードを形成すると共に、該遮光フードの上方部と背面部が交差する箇所から背面部下端まで固定スタンドの上縁クリップとその支持片が嵌め込まれる嵌合溝が形成された構成を採る。
【００１２】
また、本考案は、前記遮光フードの背面部に所定の間隔を空けて列設される複数のスリットが形成された構成を採用し得る。
【００１３】
さらに、本考案は、前記遮光フードの両側の全部もしくは一部を被覆する側面部が該遮光フードの上方部及び背面部と隣接して設けられた構成を採用することもできる。
【考案の効果】
【００１４】
本考案にかかるカーナビカバー体によれば、遮光フードの上方部が遮光機能として作用することによって、車両のダッシュボード上に取り付けられるポータブル型カーナビの画面が見やすくなると共に、遮光フードの背面部が遮熱機能として作用することによって、直射日光によるカーナビ本体の異常発熱の低減を図ることができる、といった優れた効果を奏する。
【００１５】
また、本考案にかかるカーナビカバー体によれば、遮光フードの背面部に所定の間隔を空けて列設される複数のスリットが形成されることによって、上記した遮光機能と遮熱機能に加え、カーナビ本体の放熱機能をも備えるカーナビカバー体を提供することができる、といった優れた効果を奏する。
【００１６】
さらに、本考案かかるカーナビカバー体によれば、遮光フードの両側の全部もしくは一部を被覆する側面部が該遮光フードの上方部及び背面部と隣接して設けられることによって、側方からの遮光性能の向上を図ることが可能である、といった優れた効果を奏する。
【図面の簡単な説明】
【００１７】
【図１】本考案にかかるカーナビカバー体の実施形態を示す説明図である。（実施例１）
【図２】本考案にかかるカーナビカバー体の実施形態を示す説明図である。（実施例２）
【図３】本考案にかかるカーナビカバー体の実施形態を示す説明図である。（実施例３）
【図４】本考案にかかるカーナビカバー体の実施形態を示す説明図である。（実施例３）
【図５】本考案にかかるカーナビカバー体の実施形態を示す説明図である。（実施例３）
【考案を実施するための形態】
【００１８】
本考案にかかるカーナビカバー体１０は、車両のダッシュボード２４上に取り付けられるポータブル型カーナビに装着されるカーナビカバー体１０であって、カーナビ本体２０の上方部２０ａと背面部２０ｂを覆う略Ｌ字型の遮光フード１１を形成すると共に、該遮光フード１１の上方部１２と背面部１３が交差する箇所から背面部下端まで固定スタンド２１の上縁クリップ２２とその支持片２２ａが嵌め込まれる嵌合溝１４が形成されて成り、該遮光フード１１の上方部１２が遮光機能として作用すると共に、該遮光フード１１の背面部１３が遮熱機能として作用することを最大の特徴とする。
以下、本考案にかかるカーナビカバー体１０の実施形態を、図面に基づき説明する。
【００１９】
尚、本考案にかかるカーナビカバー体１０は、以下に述べる実施例に限定されるものではなく、本考案の技術的思想の範囲内、すなわち同一の作用効果を発揮できる形状や寸法等の範囲内で適宜変更することができる
【実施例１】
【００２０】
図１は、本考案にかかるカーナビカバー体１０の第一の実施形態を示す説明図であり、（ａ）は分解斜視図、（ｂ）は取り付け状態図を示している。
本実施形態にかかるカーナビカバー体１０は、車両のダッシュボード２４上に取り付けられるポータブル型カーナビに装着されるものであって、カーナビ本体２０の上方部２０ａと背面部２０ｂとを覆う略Ｌ字型の遮光フード１１を形成して成る。
【００２１】
該遮光フード１１の材質については、特に限定するものではなく、段ボール等の厚紙製やプラスチック等の樹脂製、アルミやステンレス等の金属製など、種々の材質が考え得る。但し、該遮光フード１１の遮熱機能等に鑑みると、好ましくは金属製を避け、加工しやすい樹脂製とすることが望ましい。
【００２２】
遮光フード１１には、嵌合溝１４が形成されている。具体的には、遮光フード１１の上方部１２と背面部１３が交差する箇所から背面部１３の下端まで、嵌合溝１４が形成されている。該嵌合溝１４には、カーナビ本体２０をダッシュボード２４上に固定するための固定スタンド２１における上縁クリップ２２とその支持片２２ａが嵌め込まれ、それにより遮光フード１１がカーナビ本体２０上で係止される。なお、遮光フード１１における嵌合溝１４の形成位置については、使用されるカーナビ本体２０の大きさに合わせて選択される固定スタンド２１の形態を考慮し、適宜決定される。
【００２３】
カーナビ本体２０は、カーナビ専用機器に限らず、携帯可能なスマートフォンやタブレットなどの移動用情報端末機を使用するもので、着脱ならびに移動自在であることから、使用者の行動範囲に合わせて多様に使いこなすことができる。
【００２４】
固定スタンド２１は、カーナビ本体２０をダッシュボード２４上に固定するためのものである。該固定スタンド２１については、各種各形態のものが市販されており、例えば図面に示すような一般的な形態のもの、すなわちカーナビ本体２０の上方を上縁クリップ２２で挟持し、下方の載置ステップ２３でカーナビ本体２０を支えて３点固定する構造のものなどが使用される。なお、本考案は、図示した固定スタンド２１にのみ限定されるものではなく、種々形態に対応可能である。
【００２５】
以上で構成される本実施形態にかかるカーナビカバー体１０は、車両のダッシュボード２４上に取り付けられるポータブル型カーナビの画面が見やすくなると共に、遮光フード１１の背面部１３が遮熱機能として作用することによって、直射日光によるカーナビ本体２０の異常発熱の低減を図ることが可能となる。
【実施例２】
【００２６】
図２は、本考案にかかるカーナビカバー体１０の第二の実施形態を示す説明図であり、（ａ）は全体斜視図、(ｂ）は側断面図を示している。
本実施形態にかかるカーナビカバー体１０は、遮光フード１１の背面部１３に所定の間隔を空けて列設される複数のスリット１５が形成されて成るもので、その他の態様は上記第一の実施形態と同様であるため、説明は省略する。
【００２７】
該スリット１５は、図２（ｂ）に示すように、側断面視においてカーナビ側が大きく開口する三角状または台形状に形成することによって、該スリット１５からカーナビ本体２０への直射日光の照射を遮ることができると共に、放熱機能を増大させることができ、カーナビ本体２０の温度上昇を最小限に留めることができる。
【００２８】
以上で構成される本実施形態にかかるカーナビカバー体１０は、遮光フード１１の背面部１３に所定の間隔をあけて列設される複数のスリット１５が形成されることによって、遮光機能と遮熱機能に加え、放熱機能も兼ね備えて、カーナビ本体２０の更なる発熱低減を図ることが可能となる。
【実施例３】
【００２９】
図３乃至図５は、本考案にかかるカーナビカバー体１０の第三の実施形態を示す説明図であり（ａ）は全体斜視図、（ｂ）は取り付け状態図を示している。
本実施形態にかかるカーナビカバー体１０は、遮光フード１１の両側の全部もしくは一部を被覆する側面部１６が該遮光フード１１の上方部１２及び背面部１３と隣接して設けられて成るもので、その他の態様は上記第一または第二の実施形態と同様であるため、説明は省略する。
【００３０】
側面部１６は、遮光フード１１の両側の全部もしくは一部を被覆するもので、該遮光フード１１の上方部１２及び背面部１３と隣接して設けられる。なお、図３は遮光フード１１の両側の一部のみを被覆する場合について示しており、図４及び図５は遮光フード１１の両側の全部を被覆する場合について示している。
【００３１】
遮光フード１１の両側の一部のみを被覆する場合は、少なくとも遮光フード１１の両側上方部分に側面部１６が設けられることとなる。この一部被覆の態様は、側面部１６が設けられていない箇所にカーナビ本体２０の操作ボタン部２５や充電用ソケットが配置されることで、充電しながらの使用状態の維持や操作の容易性を担保することができる。
なお、側面部１６の形状については、矩形のほか、図３に示すような三角状に形成する態様も可能である。
【００３２】
遮光フード１１の両側の全部を被覆する場合において、例えば図４に示すように、前方に向かって開拡するように側面部１６を設ける態様が考え得る。かかる態様を採ることにより、風通しを良くしてカーナビ本体２０の放熱作用を促すとともに、操作ボタン部２５の操作性の向上を図ることが可能となる。
【００３３】
また、同様に遮光フード１１の両側の全部を被覆する場合において、例えば図５に示すように、側面部１６を回動可能に設ける態様が考え得る。かかる態様を採ることにより、必要に応じて側面部１６を回動して開放することができるため、カーナビ本体２０の充電用ソケットに充電器を差し込む際の容易性を担保すると共に、操作ボタン部２５の操作性向上に資する。
【００３４】
以上で構成される本実施形態にかかるカーナビカバー体１０は、遮光フード１１の両側の全部もしくは一部を被覆する側面部１６が設けられることによって、総じて、側方からの遮光性能の向上が図られることとなる。
【産業上の利用可能性】
【００３５】
本考案にかかるカーナビカバー体１０は、車両のダッシュボード２４上に取り付けられるポータブル型カーナビに装着されることで、遮光機能と遮熱機能として作用し、主にスマートフォンやタブレットを使用したカーナビ本体２０の視認性と安全性と利便性が確保されることとなる。したがって、本考案にかかる「カーナビカバー体」の産業上の利用可能性は極めて高いものと思料する。
【符号の説明】
【００３６】
１０    カーナビカバー体
１１    遮光フード
１２    上方部
１３    背面部
１４    嵌合溝
１５    スリット
１６    側面部（遮光フード部）
２０    カーナビ本体
２０ａ  上方部
２０ｂ  背面部
２１    固定スタンド（三脚）
２１ａ  支持片
２２    上縁クリップ（固定クリップ）
２３    載置ステップ
２４    ダッシュボード
２５    操作ボタン部
【図１】
0003200819.tif 000003
【図２】
0003200819.tif 000004
【図３】
0003200819.tif 000005
【図４】
0003200819.tif 000006
【図５】
0003200819.tif 000007